(57)【要約】【課題】ディスプレイの画面に傷つく事を防止すると共に、保護パネルの機能や美観を保ちながら画面から発生する熱を効率よく放熱させる形状を有する画面保護装置を提供する。【解決手段】ディスプレイの画面前に所定の間隔で配置される画面保護パネル部と、画面保護パネル部を所定の間隔を保ちながら支持する保護パネル支持部と、所定の間隔の上方に配置された放熱穴部と、保護パネル支持部と繋がり画面保護パネルをディスプレイに対してクランプ力で取付ける支持クランプ部と、画面保護パネル部の上側にディスプレイの画面に対して傾斜して形成された放熱誘導部を備え、ディスプレイから発生する温度をディスプレイの画面と画面保護パネルの間から外部へ排出するのでディスプレイの性能を保証できる温度領域を維持することを可能とする。【選択図】図１
2008209839.tif 000002
【特許請求の範囲】
【請求項１】
ディスプレイの画面前に所定の間隔で配置される画面保護パネル部と、
前記画面保護パネル部を前記所定の間隔を保ちながら支持する保護パネル支持部と、
前記所定の間隔の上方に配置された放熱穴部と、
前記保護パネル支持部と繋がり前記画面保護パネルを前記ディスプレイに対してクランプ力で取付ける支持クランプ部と
を備えたことを特徴とする画面保護装置。
【請求項２】
前記画面保護パネル部の上側に前記ディスプレイの画面に対して傾斜して形成された放熱誘導部を備えたことを特徴とする請求項１記載の画面保護装置。
【請求項３】
前記画面保護パネルと前記保護パネル支持部とを取り外し可能な保護パネル止め部を備えたことを特徴とする請求項２記載の画面保護装置。
【請求項４】
前記ディスプレイの画面と前記画面保護パネルの距離を一定にする溝保持当り部を備えたことを特徴とする請求項１記載の画面保護装置。
【請求項５】
前記放熱穴部の幅を１７ｍｍ以上にしたことを特徴とする請求項２記載の画面保護装置。
【請求項６】
前記ディスプレイの画面と前記画面保護パネルの距離を５ｍｍ〜１０ｍｍにすることを特徴とする請求項２記載の画面保護装置。
【請求項７】
前記溝保持当り部の画面上方と画面下方で大きさを異ならせることにより、
前記ディスプレイの画面と前記画面保護パネルとを１．４°以上傾斜させることを特徴とする請求項１記載の画面保護装置。
【発明の詳細な説明】
【技術分野】
【０００１】
本発明は、プラズマディスプレイパネルや液晶パネルなどの平面ディスプレイを用いた薄型テレビを視聴する場合や電源を切った状態で画面に傷が付く事を防止する為に用いられる画面保護装置に関する。
【背景技術】
【０００２】
近年、テレビ機器の分野では、画面の大型化と共に、プラズマディスプレイパネルや液晶パネルを用いた薄型テレビの需要が急速に進んでいる。これは特に画質の向上や販売価格の低下、デジタルテレビへの買い替えなどによるものが多い。特に、液晶テレビの販売増加は、小型で置き場所をとらず、移動も可能な事から、小さな子供がいる家族での購入が多くなっている。市場調査の結果でも液晶テレビの購入者の約３０％が小さな子供をお持ちであると言われている。
【０００３】
しかし、液晶テレビの画面は液晶パネルがそのまま露出している為、これらのご家庭で小さい子供が液晶テレビ画面に直接手で触ったり、玩具などで液晶テレビの画面に傷を付けたりする事も多い。そのため、液晶パネルの交換修理の依頼も多くなっている。
【０００４】
このような状況を回避する為に、画面をプラスチックフイルムや保護パネルで覆うような画面保護の為の商品も既に、各種開発されて販売されているが、これらの商品の多くは液晶画面への傷付きを防止することのみに終始しているものが多く、液晶テレビの本来機能を阻害する恐れがある。
【０００５】
液晶パネルの特徴である鮮明画像再生のためには液晶の粘性を高めることが必要であり、液晶パネル温度を６０〜６５度の温度領域内に保つ事が求められる。従って画面表面から発生する熱への対策が必要と成る。単に画面を覆う事を行うと画面の表面温度が必要以上に高くなり、液晶パネル面の偏光板や拡散板などが変形するなどの問題が発生し、ひいては製品寿命が短くなる事と成る。従って、画面保護装置は画面保護機能と放熱の為の配慮が共に必要なのである。
【０００６】
また、先にも述べたが液晶テレビの画面は液晶パネルがそのまま露出している為、画面をプラスチックフイルム等の柔らかい物で覆っても根本的な傷つき防止には成りえない。
【０００７】
従来の画面保護カバーは、シートを展開した場合の画面保護の役割は果たすが、テレビ視聴時にシートを閉じた場合には画面保護にはならない（特許文献１参照）。また、仮に透明シートを使用し、テレビ視聴時にも保護の役割を果たすように改善する事も可能だが、その場合、画面の周囲全体を覆う事となり、放熱が出来なくなり保護用カバー内部に熱溜りが出来る。
【０００８】
更に、液晶パネルと並行面に上方の隙間が大きくなるように、カバー硝子を外装ケースに傾けて取り付けた画面保護カバー（特許文献２参照）などもあり、画面保護の役割は果たすが、特許文献１同様に画面の周囲全体を覆う事となり、放熱が出来なくなり保護用カバー内部に熱溜りが出来て、パネル面の偏光板や拡散板などが変形するなどの問題が発生することが考えられ、空気の対流を促す構造など、放熱の為の配慮が画面保護と共に必要となる。
【０００９】
また、画面保護装置を液晶テレビに取り付けて使用する場合の別の問題は、例えば、画面サイズが３２型などの同一型でも、液晶テレビの奥行きの異なる種類が存在し、機種の世代が変われば、またデザインや設計内容により奥行きが変わり、其々の型に対応する為に、毎回、金型費や機種数が増加する事である。
【特許文献１】実用新案登録第３１０６２２４号公報
【特許文献２】実開平４−１３７６８１号公報
【発明の開示】
【発明が解決しようとする課題】
【００１０】
本発明はかかる事情に鑑みて創案されたものであり、その第１の目的は、液晶パネルなどの平面ディスプレイを用いた薄型テレビを視聴する場合や電源を切った状態で画面に傷つく事を防止すると共に、保護パネルの機能や美観を保ちながら画面から発生する熱を効率よく放熱させる形状を有する画面保護装置を提供することである。
【００１１】
本発明の第２の目的は、画面サイズが３２型などの同一型でも、奥行きの異なる種類が存在し、機種の世代が変われば、またデザインや設計内容により液晶テレビの奥行きが変わり、其々の型に対応する為に、毎回、金型費や機種数が増加する事を避ける為、保護パネル支持部を押し出し成型で形成することで、其々の機種ごとの大きさに切断して対応が出来且つ液晶テレビの奥行きが変わっても対応できる構造を持つ画面保護装置を提供することである。
【課題を解決するための手段】
【００１２】
前記従来の課題を解決するために、本発明にかかる画面保護装置は、ディスプレイの画面前に所定の間隔で配置される画面保護パネル部と、画面保護パネル部を所定の間隔を保ちながら支持する保護パネル支持部と、所定の間隔の上方に配置された放熱穴部と、保護パネル支持部と繋がり画面保護パネルをディスプレイに対してクランプ力で取付ける支持クランプ部と、画面保護パネル部の上側にディスプレイの画面に対して傾斜して形成された放熱誘導部を有し、ディスプレイから発生する温度をディスプレイの画面と画面保護パネルの間から外部へ排出する。
【００１３】
本構成によって、ディスプレイの画面温度の上昇を抑制することができ、ディスプレイの性能を保証できる温度領域を維持することを可能とする。
【発明の効果】
【００１４】
液晶パネルを用いた薄型テレビを視聴する場合や電源を切った状態で画面に傷つく事を防止すると共に、液晶パネルの保護機能や美観を保ちながら画面から発生する熱を効率よく放熱させる形状を有する画面保護装置を提供することが出来る。
【００１５】
また、画面サイズが３２型などの同一型でも、奥行きの異なる種類が存在し、機種の世代が変われば、またデザインや設計内容により液晶テレビの奥行きが変わり、其々の型に対応する為に、毎回、金型費や機種数が増加する事を避ける為、保護パネル支持部を押し出し成型で形成することで、其々の機種ごとの大きさに切断して対応が出来且つ液晶テレビの奥行きが変わっても対応できる構造を持つ画面保護装置を提供することが出来る。
【発明を実施するための最良の形態】
【００１６】
以下本発明を実施するための最良の形態について、図面を参照しながら説明する。
【００１７】
（実施の形態１）
図１は本発明の実施の形態１における画面保護装置を液晶テレビに装着した状態を示す斜視図である。また、図２は本発明の実施の形態１における画面保護装置の（ａ）平面図、（ｂ）正面図、（ｃ）背面図、及び（ｄ）右側面図である。本実施の形態１にかかる画面保護装置は、液晶テレビ２００の液晶パネル２０１が透過して見ることができるように透明アクリル製の画面保護パネル部１０１を液晶パネル２０１の前面に装着し、テレビを視聴する場合や電源を切った状態で画面に傷つく事を防止すると共に、液晶パネルの保護機能や美観を保ちながら画面から発生する熱を効率よく放熱させる画面保護装置として使用される。
【００１８】
図３は本発明の実施の形態１における画面保護装置の部材構成を示す斜視図である。本実施の形態１における画面保護装置１００は大きく分けて、液晶パネル２０１の画面を保護し前面より液晶テレビ２００に押し付ける透明アクリル製の画面保護パネル部１０１と、画面保護パネル部１０１とほぼ直角に位置して画面保護パネル部１０１を固定する保護パネル支持部１０２と、画面保護装置１００を液晶テレビ２００に保持させるために保護パネル支持部１０２を液晶テレビ２００の後面に押し付ける支持部後面クランプ部１０３と、液晶パネル２０１から画面保護パネル部１０１の距離を最小限にしながら放熱効果を上げる、画面保護パネル１０１の上方に位置する放熱誘導壁部１０４と、放熱誘導壁部１０４に隣接して上方へ熱を逃がす放熱穴部１０５と、お客様が自由に画面保護パネル部１０１を取り外して掃除などが行えるようにした保護パネル止めビス１０６と、画面保護装置１００の全体を液晶テレビ２００に固定する画面保護装置保持ビス１０７と、液晶パネル２０１から画面保護パネル１０１の距離を一定に保つ溝保持当り部１０８の構成からなる。
【００１９】
画面保護パネル部１０１は、液晶パネル２０１の前面開口部全体を覆う平面で透明なアクリル製のパネルで形成されている。画面保護パネル部１０１は、液晶パネル２０１の画面を透過して見た場合でも画質を落とすことなく、また、直接液晶パネル２０１の画面を傷つけないという機能を有し、内面には前面上方向に向けて液晶パネル２０１で熱せられた空気の流通を促す放熱誘導壁部１０４と、放熱誘導壁部１０４に隣接して熱を逃がすため、保護パネル上面に放熱穴部１０５を配置している。また、保護パネル支持部１０２に差し込み固定する為の貫通穴を上面に二箇所持っている。また、この場合の画面保護パネル部１０１の平面の大きさは、画面開口部から液晶テレビ正面全体に及んでも良い。
【００２０】
保護パネル支持部１０２は、画面保護パネル部１０１を上方向から挟み込み固定する物で、画面保護パネル部１０１と左右の同一幅のコの字型形状とコの字型形状の上面二箇所から画面保護パネル部１０１を挟んで貫通する、保護パネル固定ビス１０６用の穴を持ち、支持部後面クランプ部１０３と一体化されて後方下部へと下がる形状となっている。この構成により、画面保護パネル部１０１に埃や汚れが発生した場合、お客様が簡単に保護パネル固定ビス１０６を外して画面保護パネル部１０１を取り外す事ができ、液晶パネル２０１の掃除が容易と成る。このとき、保護パネル支持部１０２の材質は固定ビスのネジ止め用のタップ形成及びクランプ力強化の観点からＡＢＳ（Ａｃｒｙｌｏｎｉｔｒｉｌｅ  ｂｕｔａｄｉｅｎｅ  ｓｔｙｒｅｎｅ）を使用することが望ましい。
【００２１】
また、画面保護パネル部１０１を取り外す機能を除く場合は、画面保護パネル部１０１と保護パネル支持部１０２をアクリルで一体成型する事も可能である。また、コの字型形状の幅も画面保護パネル部１０１や液晶テレビ２００の幅に合わせる事を規制しない幅設定が可能である。
【００２２】
支持部後面クランプ部１０３は、保護パネル支持部１０２と一体で形成され、画面保護装置１００の全体をそのクランプ機能において、液晶テレビ２００に固定する役割を有している。従って、画面保護装置１００を液晶テレビ２００に装着させる前は、図４に示すように支持部後面クランプ部１０３の下部を４ｃｍ前後、画面保護パネル１０１側に前倒しで形成することにより、より強いクランプ力を得られる事と成る。また、液晶テレビ２００への最終固定は支持部後面クランプ部１０３の下部にある左右に箇所の穴を貫通して、画面保護装置保持ビス１０７で固定する。
【００２３】
この画面保護装置１００の液晶テレビ２００への取り付けにおいて、液晶パネル２０１を保護する画面保護パネル部１０１を保護パネル支持部１０２に差し込み保護パネル止めビス１０６で固定した後、液晶テレビ２００の上面より画面保護パネル部１０１と支持部後面クランプ部１０３を前後に押し広げながら、液晶テレビ２００本体に被せる事により、前、後面のクランプ機能が働き前後から液晶テレビ２００本体を締め付け、保持力を増す事となる。また、画面保護装置１００と液晶テレビ２００の固定は保護パネル止めビス１０７で行う、このことによって奥行き寸法の異なる液晶テレビにも共通に取付けりが可能な画面保護装置１００を提供できる事となる。
【００２４】
次に、本発明の画面保護装置１００を液晶テレビ２００に装着したときの液晶パネル２０１の温度について説明する。
【００２５】
図５は本発明の実施の形態１における画面保護パネル部を液晶パネルと並行に付けた場合の熱溜まり部を示す拡大断面図である。画面保護装置１００を液晶テレビ２００に装着したときに、画面保護パネル部１０１の熱が最も滞留しやすい場所は図５に示すように、液晶パネル２０１の上面と液晶テレビ２００のキャビネット２０２との接合部分の立ち上がり部分２０３である。この熱の滞留を除くためには、画面保護パネル部１０１と液晶パネル２０１との隙間をより大きくする必要が有る。
【００２６】
図６は本発明の実施の形態１における画面保護パネル部を液晶パネルと並行に付けて、更に上方に放熱穴部を設けた場合の熱溜まり部を示す拡大断面図である。画面保護装置１００を液晶テレビ２００に装着したときに、画面保護パネル部１０１の熱が最も滞留しやすい場所は図６に示すように、液晶パネル２０１の上面と液晶テレビ２００のキャビネット２０２との接合部分の立ち上がり部分２０３である。そして、この滞在した熱が放熱穴部１０５を通って外部に出るため、画面保護パネル部１０１と液晶パネル２０１との隙間を小さくすることができる。
【００２７】
図７は本発明の実施の形態１における画面保護パネル部を液晶パネルと並行に付けて、上方に放熱穴部を設け更に、放熱誘導壁部を設けた場合の熱溜まり部を示す拡大断面図である。画面保護装置１００を液晶テレビ２００に装着したときに、画面保護パネル部１０１の熱が最も滞留しやすい場所は図７に示すように、液晶パネル２０１の上面と液晶テレビ２００のキャビネット２０２との接合部分の立ち上がり部分２０３である。そして、この滞在した熱が放熱誘導壁部１０４、放熱穴部１０５を通って外部に出るため、画面保護パネル部１０１と液晶パネル２０１との隙間を更に小さくすることができる。
【００２８】
図８は本発明の実施の形態１における画面保護パネル部と液晶パネルと隙間による温度の関係を示す図である。図８は液晶パネル２０１と画面保護パネル部１０１の隙間を完全密着状態の０ｍｍから４０ｍｍと徐々に広げて行った場合のパネル上面の立ち上がり部分２０３の温度変化を測定した図である。横軸を液晶パネル２０１と画面保護パネル部１０１の隙間、縦軸を液晶パネル２０１の接合部分の立ち上がり部分２０３の温度としている。
【００２９】
このとき、単純に画面保護パネル部１０１を液晶パネル２０１と並行に付けた場合（８ａ）と、画面保護パネル部１０１を液晶パネル２０１と並行に付けて、更に上方に放熱穴部１０５を設けた場合（８ｂ）と、画面保護パネル部１０１を液晶パネル２０１と並行に付けて、上方に放熱穴部１０５を設け、更に、放熱誘導壁部１０４を設けた本願の画面保護装置１００の場合（８ｃ）の温度変化を比較した図である。
【００３０】
この分析結果から、単純に画面保護パネル部１０１を液晶パネル２０１と並行に付けた場合（８ａ）、液晶パネルの粘性を高め性能を保証できる温度領域の６０〜６５度にする為には、液晶パネル２０１と画面保護パネル部１０１との隙間を４０ｍｍ以上離さなければならない。この場合は液晶パネル２０１の表面から４０ｍｍ以上も離れた位置に画面保護パネル部１０１を配置する事に成り、隙間が大きくなり過ぎる。そのため人の指などがその隙間に入り液晶パネル２０１の表面を傷付けたり、液晶パネル２０１と画面保護パネル部１０１の取付けが不安定になったりして液晶パネル２０１の画面保護の機能を成さなくなる。
【００３１】
次に、画面保護パネル部１０１を液晶パネル２０１と並行に付けて、更に、上方に放熱穴部１０５を設けた場合（８ｂ）、液晶パネル２０１と画面保護パネル部１０１との隙間を２０ｍｍ以上離せば液晶パネル２０１の粘性を高め性能を保証できる温度領域の６０〜６５度を維持することができる。つまり、上方に放熱穴部１０５を設け、液晶パネル２０１と画面保護パネル部１０１との隙間を２０ｍｍ以上開けることによりほぼ規定内温度に下げる事が出来る。
【００３２】
最後に、画面保護パネル部１０１を液晶パネル２０１と並行に付けて、上方に放熱穴部１０５を設け、更に、放熱誘導部４を設けた本願の画面保護装置１００の場合（８ｃ）、液晶パネル２０１と画面保護パネル部１０１との隙間を５ｍｍ以上離せば液晶パネル２０１の粘性を高め性能を保証できる温度領域の６０〜６５度を維持することができる。つまり、上方に放熱穴部１０５を設け、放熱誘導部４を設け、液晶パネル２０１と画面保護パネル部１０１との隙間を５ｍｍ以上開けることによりほぼ規定内温度に下げる事が出来る。
【００３３】
本発明の画面保護装置１００の実施形態は、図７の構成で保護パネル前面上部に傾斜した放熱誘導壁部１０４に放熱穴部１０５を有することにより、液晶パネル２０１と画面保護パネル部１０１を並行に設置しても、図８の（８ｃ）の場合のように画面保護パネル部１０１が液晶パネル２０１に近接しても、画面保護装置１００の左右、及び下の三方向から空気が流入し、液晶パネルから熱を奪いながら放熱誘導壁部１０４、放熱穴部１０５を通って上方へ抜ける構造としたことで、温度上昇を抑制するという効果を得る事が出来る。
【００３４】
更に、液晶パネル２０１と画面保護パネル部１０１との隙間に指などが入らないようにするためには、１０ｍｍ以下の隙間が望ましいので、画面保護装置１００としての傷付け防止機能と良好な放熱効果を得る為には、画面保護パネル部１０１と液晶パネル２０１の隙間を５ｍｍ〜１０ｍｍに設定することが望ましい。
【００３５】
更に、且つ図７の放熱誘導壁部１０４の傾斜点１０４ａを接合部分の立ち上がり部分２０３と水平位置か、もしくは上面方向７ｍｍ前後までに設定し、その傾斜も１８度前後に設定する。１８度前後の傾斜は最も熱を上面へ誘導しやすい角度である。これは本願発明において、キャビネット２０２と液晶パネル２０１の立ち上がり部分２０３に発生した熱が、接合部の立ち上がり部２０３に沿って上昇する場合の熱気流を温度解析した結果、熱気流の自然上昇角度がほぼ１７度から１９度であり、且つその前後最大幅も約１８ｍｍ前後であることから設定した。従って、放熱穴部１０５の内側位置は液晶テレビ２００のキャビネット２０２外壁に沿って位置し、前後方向の穴寸法は１８ｍｍ前後が最も放熱条件が良い結果を得る事が出来る。その場合放熱穴部１０５の幅や本数は、特に規定しないが、液晶パネル左右幅へ方向にできる限り広い方が良い。
【００３６】
図９は、本発明の実施の形態１における放熱穴部の幅と液晶パネル温度及び一体感評価の関係を示す図である。ここで液晶パネル２０１と画面保護パネル部１０１との並行部分の隙間が８ｍｍであるときで検討する。
【００３７】
図９に示すように、粘性を高め性能を保証できる温度領域の６０〜６５度にする為には放熱穴部１０５の幅を１７ｍｍ以上にすればいい。しかし、放熱穴部１０５の幅を２０ｍｍ以上にしても、液晶パネル温度にはほとんど影響しなくなる。また、放熱穴部１０５の幅を２０ｍｍより大きくすると、放熱誘導壁部１０４が前に飛び出た形となり、画面保護装置１００として一体感が損なわれてしまう。そこで、放熱穴部１０５の幅を１７ｍｍ〜２０ｍｍに設定することが望ましい。
【００３８】
また、液晶パネル２０１の画面保護機能と良好な放熱効果を得る為の別な方法を説明する。図１０は本発明の実施の形態１における画面保護パネル部を液晶パネルと傾斜しながら付けた場合の熱溜まり部を示す拡大断面図である。また、図１１は本発明の実施の形態１における画面保護装置の（ａ）平面図、（ｂ）正面図、（ｃ）背面図、及び（ｄ）右側面図である。
【００３９】
図１０に示すように、画面保護パネル部１０１が液晶パネル２０１に対して画面保護パネル部１０１の下部との隙間を６ｍｍ〜８ｍｍに設定し、前方に斜め傾斜をさせながら、上部放熱穴部１０５へと導く事も有効である。この場合図１１（ｄ）の右側面図に示すように画面保護パネル部１０１傾斜は画面保護パネル部１０１の角部１０１ａの交点から約１．４度以上の角度が有効となる。また、溝保持当り部１０８を画面保護パネルの１０１の上方に対して下方の大きさを小さくする。
【００４０】
図１２は、本発明の実施の形態１における画面保護パネルの傾斜角度と液晶パネル温度及び一体感評価の関係を示す図である。ここで液晶パネル２０１と画面保護パネル部１０１との最下部の隙間が８ｍｍであるときで検討する。
【００４１】
図１２に示すように、粘性を高め性能を保証できる温度領域の６０〜６５度にする為には画面保護パネル１０１の傾斜角度を１．４°以上にすればいい。しかし、画面保護パネル１０１の傾斜角度を２．３°以上にしても、液晶パネル温度にはほとんど影響しなくなる。また、画面保護パネル１０１の傾斜角度を２．３°より大きくすると、画面保護パネル１０１が液晶パネル２０１対して大きく傾いた形となり、画面保護装置１００として一体感が損なわれてしまう。そこで、画面保護パネル１０１の傾斜角度を１．４°〜２．３°に設定することが望ましい。加えて、この形態の場合、画面保護パネル部１０１が斜め下方に傾斜している為、電灯などの映り込みを防止することも出来る。
【００４２】
これらの事から、小さい子供が液晶テレビの画面に直接手で触ったり、玩具などで液晶テレビの画面に傷を付けたりする事も無くなり、液晶パネルの交換修理も数も減少させる事につながる。加えて、画面保護パネルと液晶テレビとの距離を最小限に抑える事が出来るため、商品性を損なう事も無い。
【００４３】
また、保護パネル支持部は取り付けるべき液晶テレビのサイズに応じて幅の調節が可能な押し出し形状とするのが好ましい。この形状により、取り付ける液晶テレビのサイズが変わっても、横方向の切断寸法を変えることにより、様々な機種に対応する事が出来る。
【００４４】
加えて、図４に示すように後面より保護パネル支持部を液晶テレビ後面に押し付ける支持部後面クランプ部１０３を予め、内側向きに成型する事により液晶テレビの奥行きが変化しても取り付けが可能となる。
【００４５】
なお、本実施の形態において、本発明の画面保護装置は液晶テレビに取付け液晶パネルの画面を保護するとしたが、プラズマディスプレイテレビに取付けプラズマディスプレイパネルの画面を保護するとしても良い。その場合は、プラズマディスプレイテレビの画面サイズに合せて画面保護パネル部を大きくし、プラズマディスプレイテレビの奥行きに合せて保護パネル支持部の奥行きを大きくすればいい。
【００４６】
なお、本実施の形態において、本発明の画面保護装置は液晶テレビに取付け液晶パネルの画面を保護するとしたが、ブラウン管テレビに取付けブラウン管の画面を保護するとしても良い。その場合は、ブラウン管テレビの画面サイズに合せて画面保護パネル部を大きくし、ブラウン管テレビの奥行きに合せて保護パネル支持部の奥行きを大きくすればいい。但し、ブラウン管テレビは奥行きが液晶テレビやプラズマディスプレイテレビに比べて大きいので、保護パネル支持部と支持部後面クランプ部によるクランプ力を強めに設定する。
【産業上の利用可能性】
【００４７】
本発明にかかる画面保護装置は、プラズマディスプレイテレビや液晶パネルなどの平面ディスプレイを用いた薄型テレビを視聴する場合や電源を切った状態で画面に傷つく事を防止する為に用いられ、簡単に液晶テレビ本体に取り付け可能で、且つ液晶テレビから発する熱を効果的に放熱可能な形状を有する事で、液晶テレビの機能を損なうことなく液晶画面保護をすることが出来るため、薄型テレビ等の属品分野での使用が有用である。
【図面の簡単な説明】
【００４８】
【図１】本発明の実施の形態１における画面保護装置を液晶テレビに装着した状態を示す斜視図
【図２】本発明の実施の形態１における画面保護装置の（ａ）平面図、（ｂ）正面図、（ｃ）背面図、（ｄ）右側面図
【図３】本発明の実施の形態１における画面保護装置の部材構成を示す斜視図
【図４】本発明の画面保護装置の３，支持部後面クランプ部形成状態を示す側面図
【図５】本発明の実施の形態１における画面保護パネル部を液晶パネルと並行に付けた場合の熱溜まり部を示す拡大断面図
【図６】本発明の実施の形態１における画面保護パネル部を液晶パネルと並行に付けて、更に上方に放熱穴部を設けた場合の熱溜まり部を示す拡大断面図
【図７】本発明の実施の形態１における液晶パネル上面の熱溜まり部を示す拡大断面図
【図８】本発明の実施の形態１における画面保護パネル部と液晶パネルと隙間による温度の関係を示す図
【図９】本発明の実施の形態１における放熱穴部の幅と液晶パネル温度及び一体感評価の関係を示す図
【図１０】本発明の実施の形態１における画面保護パネル部を液晶パネルと傾斜しながら付けた場合の熱溜まり部を示す拡大断面図
【図１１】本発明の実施の形態１における画面保護装置の（ａ）平面図、（ｂ）正面図、（ｃ）背面図、（ｄ）右側面図
【図１２】本発明の実施の形態１における放熱穴部の幅と液晶パネル温度及び一体感評価の関係を示す図
【符号の説明】
【００４９】
１００    画面保護装置
１０１    画面保護パネル部
１０１ａ    画面保護パネル部の角部
１０２    保護パネル支持部
１０３    支持部後面クランプ部
１０４    放熱誘導壁部
１０４ａ    傾斜点
１０５    放熱穴部
１０６    保護パネル止めビス
１０７    画面保護装置保持ビス
１０８    溝保持当り部
２００    液晶テレビ
２０１    液晶パネル
２０２    キャビネット
２０３    立ち上がり部分
【図１】
2008209839.tif 000003
【図２】
2008209839.tif 000004
【図３】
2008209839.tif 000005
【図４】
2008209839.tif 000006
【図５】
2008209839.tif 000007
【図６】
2008209839.tif 000008
【図７】
2008209839.tif 000009
【図８】
2008209839.tif 000010
【図９】
2008209839.tif 000011
【図１０】
2008209839.tif 000012
【図１１】
2008209839.tif 000013
【図１２】
2008209839.tif 000014